(57)【要約】  【課題】オーディオ再生環境に影響することなく音声認識処理の状態を詳細に通知可能であり、かつ低コストでデザインの自由度に優れた音声操作受付機能を有するオーディオ装置を提供する。  【解決手段】ワイヤレススピーカ１は、マイク１１への入力音声により操作を受け付ける音声操作受付機能を有しており、ＬＥＤ１２と、ＬＥＤ１２をＰＷＭ制御するＬＥＤ制御部１８と、音声認識処理の状態毎に、時間軸上で明るさを変化させた点灯パターンを記憶する点灯パターン記憶部１７と、を備えている。ＬＥＤ制御部１８は、マイク１１への入力音声に対する音声認識処理の状態に対応付けられて点灯パターン記憶部１７に記憶されている点灯パターンに従い、ＬＥＤ１２をＰＷＭ制御する。【選択図】図２
2019036103.tif 000002
【特許請求の範囲】
【請求項１】
マイクへの入力音声により操作を受け付ける音声操作受付機能を有するオーディオ装置であって、
ＬＥＤ（Ｌｉｇｈｔ  Ｅｍｉｔｔｉｎｇ  Ｄｉｏｄｅ）と、
前記ＬＥＤをＰＷＭ（Ｐｕｌｓｅ  Ｗｉｄｔｈ  Ｍｏｄｕｌａｔｉｏｎ）制御するＬＥＤ制御手段と、
音声認識処理の状態毎に、時間軸上で明るさを変化させた点灯パターンを記憶する点灯パターン記憶手段と、を備え、
前記ＬＥＤ制御手段は、
前記マイクへの入力音声に対する音声認識処理の状態に対応付けられて前記点灯パターン記憶手段に記憶されている点灯パターンに従い、前記ＬＥＤをＰＷＭ制御する
ことを特徴とするオーディオ装置。
【請求項２】
請求項１に記載のオーディオ装置であって、
前記点灯パターンは、
明るさの強弱が当該点灯パターンに対応する音声認識処理の状態を表す音声メッセージのイントネーションおよびアクセントに同期している
ことを特徴とするオーディオ装置。
【請求項３】
請求項１または２に記載のオーディオ装置であって、
前記ＬＥＤは、複数色で発光可能であり、
前記ＬＥＤ制御手段は、
前記マイクへの入力音声に対する音声認識処理の状態に応じて前記ＬＥＤの発光色を制御する
ことを特徴とするオーディオ装置。
【請求項４】
請求項１ないし３のいずれか一項に記載のオーディオ装置であって、
言語毎に音声認識辞書データが記憶された辞書データ記憶手段と、
前記辞書データ記憶手段に記憶されている音声認識辞書データを用いて、前記マイクへの入力音声に対する音声認識処理を実施する音声認識処理手段と、をさらに備え、
前記音声認識処理手段は、
前記マイクへの入力音声に対する音声認識処理の認識結果が音声操作の受付開始の要求を示している場合、以降の前記マイクへの入力音声に対する音声認識処理に用いる音声認識辞書データを、当該認識結果が表す文章を構成する言語の音声認識辞書データに絞り込む
ことを特徴とするオーディオ装置。
【請求項５】
コンピュータで読み取り可能なプログラムであって、
前記コンピュータは、マイクおよびＬＥＤ（Ｌｉｇｈｔ  Ｅｍｉｔｔｉｎｇ  Ｄｉｏｄｅ）を備え、
前記プログラムは、前記コンピュータを、前記マイクへの入力音声により操作を受け付ける音声操作受付機能を有するオーディオ装置として機能させ、
前記オーディオ装置は、
前記ＬＥＤをＰＷＭ（Ｐｕｌｓｅ  Ｗｉｄｔｈ  Ｍｏｄｕｌａｔｉｏｎ）制御するＬＥＤ制御手段と、
音声認識処理の状態毎に、時間軸上で明るさを変化させた点灯パターンを記憶する点灯パターン記憶手段と、を備え、
前記ＬＥＤ制御手段は、
前記マイクへの入力音声に対する音声認識処理の状態に対応付けられて前記点灯パターン記憶手段に記憶されている点灯パターンに従い、前記ＬＥＤをＰＷＭ制御する
ことを特徴とするコンピュータで読み取り可能なプログラム。
【発明の詳細な説明】
【技術分野】
【０００１】
本発明は、音声操作受付機能を有するオーディオ装置に関する。
【背景技術】
【０００２】
特許文献１には、リモートコントローラを介してユーザから受け付けた操作に従い、メディアサーバ等からオーディオデータをワイヤレスでダウンロードし再生するオーディオ装置が開示されている。
【０００３】
また、特許文献２には、マイクへの入力音声に対する音声認識結果をＬＥＤ（Ｌｉｇｈｔ  Ｅｍｉｔｔｉｎｇ  Ｄｉｏｄｅ）の表示形式を異ならせることにより、ユーザに目視で確認することができるようにした音声応答機能付電話装置が開示されている。
【先行技術文献】
【特許文献】
【０００４】
【特許文献１】米国特許第７９８７２９４号明細書
【特許文献２】特開２０００−１０６５８８号公報
【発明の概要】
【発明が解決しようとする課題】
【０００５】
近年、特許文献１に記載のようなオーディオ装置において、マイクへの入力音声に音声認識処理を実施して音声操作を受け付けることにより、リモートコントローラなしで各種操作を可能とする音声操作受付機能が求められている。ここで、オーディオ再生中に音声操作を受け付ける場合、入力音声の音声認識結果に対する応答を音声で出力すると、オーディオ再生音に音声認識結果を示す音声が混入することとなり、オーディオ再生環境に影響する。このため、音声認識結果は、特許文献２に記載の音声応答機能付電話装置のように、ＬＥＤを用いて表示することが好ましい。
【０００６】
しかしながら、特許文献２に記載の音声応答機能付電話装置では、ＬＥＤの表示形式を消灯状態、点滅状態、および点灯状態のいずれかとすることにより、音声応答がないと判断した場合（消灯状態）、所定の音声ではないと判断した場合（点滅状態）、および所定の音声であると判断した場合（点灯状態）をユーザに通知するのみであり、この技術をオーディオ装置に適用しても、音声認識処理の状態をより詳細にユーザに通知することができない。一方、複数のＬＥＤを用いたり、ＬＥＤに代えてＬＣＤ（Ｌｉｑｕｉｄ  Ｃｒｙｓｔａｌ  Ｄｉｓｐｌａｙ）を用いたりすることにより、音声認識処理の状態をより詳細にユーザに通知することができるが、その分、コストが嵩む。また、音声認識処理の状態を通知するための表示部がオーディオ装置の前面に占める割合が大きくなるため、オーディオ装置のデザイン上の制約となる。
【０００７】
本発明は上記事情に鑑みてなされたものであり、その目的は、オーディオ再生環境に影響することなく音声認識処理の状態を詳細に通知可能であり、かつ低コストでデザインの自由度に優れた音声操作受付機能を有するオーディオ装置を提供することにある。
【課題を解決するための手段】
【０００８】
上記課題を解決するために、本発明では、時間軸上で明るさを変化させた複数の点灯パターンを準備し、これら複数の点灯パターンに基づいてＬＥＤをＰＷＭ（Ｐｕｌｓｅ  Ｗｉｄｔｈ  Ｍｏｄｕｌａｔｉｏｎ）制御することにより、音声認識処理の状態を表現している。ここで、点灯パターンは、音声認識処理の状態を表す音声メッセージのイントネーションおよびアクセントに明るさの強弱を同期させてもよい。
【０００９】
例えば、本発明は、マイクへの入力音声により操作を受け付ける音声操作受付機能を有するオーディオ装置であって、
ＬＥＤ（Ｌｉｇｈｔ  Ｅｍｉｔｔｉｎｇ  Ｄｉｏｄｅ）と、
前記ＬＥＤをＰＷＭ（Ｐｕｌｓｅ  Ｗｉｄｔｈ  Ｍｏｄｕｌａｔｉｏｎ）制御するＬＥＤ制御手段と、
音声認識処理の状態毎に、時間軸上で明るさを変化させた点灯パターンを記憶する点灯パターン記憶手段と、を備え、
前記ＬＥＤ制御手段は、
前記マイクへの入力音声に対する音声認識処理の状態に対応付けられて前記点灯パターン記憶手段に記憶されている点灯パターンに従い、前記ＬＥＤをＰＷＭ制御する。
【発明の効果】
【００１０】
本発明では、時間軸上で明るさを変化させた複数の点灯パターンを準備し、これら複数の点灯パターンを用いてＬＥＤをＰＷＭ制御することにより、音声認識処理の状態を表現するので、一つのＬＥＤのみで音声認識処理の状態を詳細に表現することができる。したがって、本発明によれば、オーディオ再生環境に影響することなく音声認識処理の状態を詳細に通知可能であり、かつ低コストでデザインの自由度に優れた音声操作受付機能を有するオーディオ装置を提供することができる。
【図面の簡単な説明】
【００１１】
【図１】図１は、本発明の一実施の形態に係るワイヤレスオーディオシステムの概略構成図である。
【図２】図２は、ワイヤレススピーカ１の概略機能構成図である。
【図３】図３（Ａ）〜図３（Ｅ）は、点灯パターンの例を模式的に表した図である。
【図４】図４は、ワイヤレススピーカ１の動作フロー図である。
【図５】図５は、ワイヤレススピーカ１の動作フロー図（図４の続き）である。
【発明を実施するための形態】
【００１２】
以下に、本発明の一実施の形態について、図面を参照して説明する。
【００１３】
図１は、本実施の形態に係るワイヤレスオーディオシステムの概略構成図である。
【００１４】
図示するように、本実施の形態に係るワイヤレスオーディオシステムは、メディアサーバ４と、アクセスポイント２およびＷＡＮ、ＬＡＮ等のネットワーク３を介してメディアサーバ４に接続されたワイヤレススピーカ１と、を備えて構成されている。メディアサーバ４は、オーディオデータをワイヤレススピーカ１に提供する。
【００１５】
ワイヤレススピーカ１は、スピーカ１０が配置されている前面にマイク１１を備えており、マイク１１への入力音声に音声認識処理を実施して、ユーザから音声操作を受け付ける。そして、ユーザから受け付けた音声操作に従い、オーディオデータをメディアサーバ４からダウンロードして再生し、その再生音をスピーカ１０から出力する。また、ワイヤレススピーカ１は、スピーカ１０が配置されている前面にフルカラーのＬＥＤ１２を備えており、マイク１１への入力音声に対する音声認識処理の状態を、このＬＥＤ１２を用いてユーザに通知する。
【００１６】
図２は、ワイヤレススピーカ１の概略機能構成図である。
【００１７】
図示するように、ワイヤレススピーカ１は、スピーカ１０と、マイク１１と、フルカラーのＬＥＤ１２と、ネットワークインターフェース部１３と、オーディオ再生部１４と、音声認識辞書データ記憶部１５と、音声認識処理部１６と、点灯パターン記憶部１７と、ＬＥＤ制御部１８と、主制御部１９と、を備えている。
【００１８】
ネットワークインターフェース部１３は、アクセスポイント２およびネットワーク３を介してメディアサーバ４と通信するためのインターフェースである。
【００１９】
オーディオ再生部１４は、主制御部１９より受け取ったオーディオデータを再生し、その再生音をスピーカ１０から出力する。
【００２０】
音声認識辞書データ記憶部１５には、日本語、英語等の言語毎に、音声認識処理に用いる音声認識辞書データが記憶されている。
【００２１】
音声認識処理部１６は、音声認識辞書データ記憶部１５を参照して、マイク１１に入力された音声に音声認識処理を実施する。
【００２２】
点灯パターン記憶部１７には、日本語、英語等の言語毎に、時間軸上で明るさを変化させたＬＥＤ１２の点灯パターンが音声認識処理の状態に対応付けられて記憶されている。この点灯パターンは、対応する音声認識処理の状態をユーザに通知するためのものであり、時間軸上における明るさの強弱が、対応する言語で音声認識処理の状態を表す音声メッセージのイントネーションおよびアクセントに同期している。
【００２３】
図３（Ａ）〜図３（Ｅ）は、点灯パターンの例を模式的に表した図である。
【００２４】
ここでは、音声メッセージが日本語の場合を例示している。ここで、縦軸１７０は明るさの強度（Ｗ）を示しており、横軸１７１は時間（ｔ）を示している。
【００２５】
図３（Ａ）は、マイク１１への入力音声に対する音声認識処理の認識結果が音声操作の受付開始を要求するもの（例えば「開始」）であり、これに応答して、音声認識処理の状態が「音声操作受付開始」になったことをユーザに知らせるための点灯パターン１７２ａの一例を示している。この点灯パターン１７２ａでは、音声メッセージ「了解しました」のイントネーションおよびアクセントに同期して、時間軸上における明るさの強弱を変化させている。
【００２６】
図３（Ｂ）は、音声操作の受付開始後に、マイク１１に音声が入力された場合に、これに応答して、音声認識処理の状態が「音声入力」になったことをユーザに知らせるための点灯パターン１７２ｂの一例を示している。この点灯パターン１７２ｂでは、音声メッセージ「受信しました」のイントネーションおよびアクセントに同期して、時間軸上における明るさの強弱を変化させている。
【００２７】
図３（Ｃ）は、マイク１１への入力音声に対して音声認識を実施中の場合に、これに応答して、音声認識処理の状態が「音声認識中」になったことをユーザに知らせるための点灯パターン１７２ｃの一例を示している。この点灯パターン１７２ｃでは、音声メッセージ「認識中です」のイントネーションおよびアクセントに同期して、時間軸上における明るさの強弱を変化させている。
【００２８】
図３（Ｄ）は、マイク１１への入力音声に対する音声認識処理に成功してユーザから命令を受け付けた場合に、これに応答して、音声認識処理の状態が「認識成功」になったことをユーザに知らせるための点灯パターン１７２ｄの一例を示している。この点灯パターン１７２ｄでは、音声メッセージ「実行します」のイントネーションおよびアクセントに同期して、時間軸上における明るさの強弱を変化させている。
【００２９】
図３（Ｅ）は、マイク１１への入力音声に対する音声認識処理に失敗した場合に、これに応答して、音声認識処理の状態が「認識失敗」になったことをユーザに知らせるための点灯パターン１７２ｅの一例を示している。この点灯パターン１７２ｅでは、音声メッセージ「再度お願いします」のイントネーションおよびアクセントに同期して、時間軸上における明るさの強弱を変化させている。
【００３０】
なお、図３（Ａ）〜図３（Ｅ）では、音声メッセージが日本語の場合の点灯パターンを例示しているが、音声メッセージが英語等の他言語の場合の点灯パターンも、日本語の場合と同様に、イントネーションおよびアクセントに同期して、時間軸上における明るさの強弱を変化させたものとなる。
【００３１】
ＬＥＤ制御部１８は、点灯パターン記憶部１７を参照して、主制御部１９により指定された点灯パターンに従って時間軸上で明るさが変化するように、ＬＥＤ１２をＰＷＭ制御する。
【００３２】
主制御部１９は、ネットワークインターフェース部１３、オーディオ再生部１４、音声認識処理部１６、およびＬＥＤ制御部１８を、統括的に制御する。
【００３３】
つぎに、上記構成のワイヤレススピーカ１の動作について説明する。
【００３４】
図４および図５は、ワイヤレススピーカ１の動作フロー図である。
【００３５】
まず、マイク１１を介してユーザから音声が入力されると（Ｓ１でＹＥＳ）、音声認識処理部１６は、音声認識辞書データ記憶部１５に記憶されている各言語の音声認識辞書データを参照し、入力音声に対する音声認識処理を実施する（Ｓ２）。そして、音声認識処理の認識結果を主制御部１９に渡す。
【００３６】
これを受けて、主制御部１９は、音声認識処理の認識結果が音声操作の受付開始を要求するものであるか否かを判断する（Ｓ３）。例えば、入力音声が日本語ならば、認識内容が「開始」である場合に、それが音声操作の受付開始を要求するものと判断し、入力音声が英語ならば、認識内容が「ＳＴＡＲＴ」である場合に、それが音声操作の受付開始を要求するものと判断する。音声認識処理の認識結果が音声操作の受付開始を要求するものでない場合（Ｓ３でＮＯ）、Ｓ１に戻る。
【００３７】
一方、音声認識処理の認識結果が音声操作の受付開始を要求するものである場合（Ｓ３でＹＥＳ）、主制御部１９は、音声認識処理の認識結果が表す文章を構成する言語を認識言語に設定する。そして、音声認識処理部１６に対して音声認識辞書データの認識言語への絞り込みを指示する。これを受けて、音声認識処理部１６は、以降の音声認識処理で使用する音声認識辞書データを、認識言語の音声認識辞書データに絞り込む（Ｓ４）。
【００３８】
つぎに、主制御部１９は、ＬＥＤ制御部１８に、認識言語、音声認識処理の状態「音声操作受付開始」、および発光色「第一発光色（例えば青色）」を通知して、ＬＥＤ１２の点灯を指示する。これを受けて、ＬＥＤ制御部１８は、点灯パターン記憶部１７から認識言語および音声認識処理の状態「音声操作受付開始」に対応付けられた点灯パターンを特定する。そして、第一発光色で、特定した点灯パターンに従い明るさを変化させるように、ＬＥＤ１２をＰＷＭ制御する（Ｓ５）。これにより、音声操作の受付が可能になったことをユーザに通知する。
【００３９】
その後、主制御部１９は、ＬＥＤ制御部１８に発光色「第二発光色（例えば白色）」を通知して、ＬＥＤ１２の点灯を指示する。これを受けて、ＬＥＤ制御部１８は、ＬＥＤ１２を第二発光色で点灯させる（Ｓ６）。これにより、音声の入力待ちであることをユーザに通知する。
【００４０】
つぎに、音声認識処理部１６は、マイク１１を介してユーザから音声が入力されると（Ｓ７でＹＥＳ）、音声入力された旨を主制御部１９に通知する。主制御部１９は、ＬＥＤ制御部１８に、認識言語、音声認識処理の状態「音声入力」、および発光色「第一発光色」を通知して、ＬＥＤ１２の点灯を指示する。これを受けて、ＬＥＤ制御部１８は、点灯パターン記憶部１７から認識言語および音声認識処理の状態「音声入力」に対応付けられた点灯パターンを特定する。そして、第一発光色で、特定した点灯パターンに従い明るさを変化させるように、ＬＥＤ１２をＰＷＭ制御する（Ｓ１０）。これにより、音声入力を検知したことをユーザに通知する。
【００４１】
それから、音声認識処理部１６は、音声認識辞書データ記憶部１５に記憶されている認識言語の音声認識辞書データを参照し、入力音声に対する音声認識処理を開始する（Ｓ１１）。また、音声認識処理中である旨を主制御部１９に通知する。主制御部１９は、ＬＥＤ制御部１８に、認識言語、音声認識処理の状態「音声認識中」、および発光色「第一発光色」を通知して、ＬＥＤ１２の点灯を指示する。これを受けて、ＬＥＤ制御部１８は、点灯パターン記憶部１７から認識言語および音声認識処理の状態「音声認識中」に対応付けられた点灯パターンを特定する。そして、第一発光色で、特定した点灯パターンに従い明るさを変化させるように、ＬＥＤ１２をＰＷＭ制御する（Ｓ１２）。これにより、入力音声の音声認識処理中であることをユーザに通知する。
【００４２】
つぎに、音声認識処理部１６は、音声認識処理の認識結果を主制御部１９に渡す。ここで、音声認識処理に失敗したならば、その旨を主制御部１９に通知する。これを受けて、主制御部１９は、音声認識処理部１６での音声認識処理に失敗した場合（Ｓ１３でＮＯ）、ＬＥＤ制御部１８に、認識言語、音声認識処理の状態「認識失敗」、および発光色「第三発光色（例えば赤色）」を通知して、ＬＥＤ１２の点灯を指示する。これを受けて、ＬＥＤ制御部１８は、点灯パターン記憶部１７から認識言語および音声認識処理の状態「認識失敗」に対応付けられた点灯パターンを特定する。そして、第三発光色で、特定した点灯パターンに従い明るさを変化させるように、ＬＥＤ１２をＰＷＭ制御する（Ｓ１６）。これにより、音声操作の受付に失敗したので、音声の再入力が必要であることをユーザに通知する。その後、Ｓ６に戻る。
【００４３】
一方、主制御部１９は、音声認識処理部１６での音声認識処理に成功した場合（Ｓ１３でＹＥＳ）、ＬＥＤ制御部１８に、認識言語、音声認識処理の状態「認識成功」、および発光色「第一発光色」を通知して、ＬＥＤ１２の点灯を指示する。これを受けて、ＬＥＤ制御部１８は、点灯パターン記憶部１７から認識言語および音声認識処理の状態「認識成功」に対応付けられた点灯パターンを特定する。そして、第一発光色で、特定した点灯パターンに従い明るさを変化させるように、ＬＥＤ１２をＰＷＭ制御する（Ｓ１４）。これにより、音声操作の受付に成功したことをユーザに通知する。
【００４４】
それから、主制御部１９は、音声認識処理部１６から受け取った音声認識処理の処理結果が示す命令を実施する（Ｓ１５）。例えば、音声認識処理の処理結果が楽曲名である場合、ネットワークインターフェース部１３を介してメディアサーバ４にアクセスし、メディアサーバ４からこの楽曲名のオーディオデータをダウンロードする。また、音声認識処理の処理結果が再生開始を要求するもの（例えば、日本語ならば「再生」、英語ならば「ＰＬＡＹ」）である場合、オーディオ再生部１４にメディアサーバ４からダウンロードしたオーディオデータの再生開始を指示する。また、音声認識処理の処理結果が再生停止を要求するもの（例えば、日本語ならば「停止」、英語ならば「ＳＴＯＰ」）である場合、オーディオ再生部１４にオーディオデータの再生停止を指示する。また、音声認識処理の処理結果が再生音の音量増大を要求するもの（例えば、日本語ならば「音量増大」、英語ならば「ＶＯＬＵＭＥ  ＵＰ」）である場合、オーディオ再生部１４に再生音の音量増大を指示する。また、音声認識処理の処理結果が再生音の音量減少を要求するもの（例えば、日本語ならば「音量減少」、英語ならば「ＶＯＬＵＭＥ  ＤＯＷＮ」）である場合、オーディオ再生部１４に再生音の音量減少を指示する。その後、Ｓ６に戻る。
【００４５】
また、主制御部１９は、マイク１１から音声認識処理部１６に音声が入力されることなく（Ｓ７でＮＯ）、所定時間の経過によりタイムアウトした場合（Ｓ８でＹＥＳ）、ＬＥＤ制御部１８に、ＬＥＤ１２の消灯を指示する。これを受けて、ＬＥＤ制御部１８は、ＬＥＤ１２を消灯する（Ｓ９）。その後、Ｓ１に戻る。
【００４６】
以上、本発明の一実施の形態について説明した。
【００４７】
本実施の形態では、時間軸上で明るさを変化させた複数の点灯パターンを準備し、これら複数の点灯パターンを用いてＬＥＤ１２をＰＷＭ制御することにより、音声認識処理の状態を表現するので、ワイヤレススピーカ１の前面に配置された一つのＬＥＤ１２のみで音声認識処理の状態を詳細に表現することができる。したがって、本実施の形態によれば、オーディオ再生環境に影響することなく音声認識処理の状態を詳細に通知可能であり、かつ低コストでデザインの自由度に優れた音声操作受付機能を有するワイヤレススピーカ１を提供することができる。
【００４８】
また、本実施の形態では、音声認識処理の状態毎に、その音声認識処理の状態を表す音声メッセージのイントネーションおよびアクセントに明るさの強弱を同期させた点灯パターンを用いている。このため、点灯パターンによってＰＷＭ制御されたＬＥＤ１２から、この点灯パターンに対応する音声メッセージのイントネーションおよびアクセントを理解することができるので、音声認識処理の状態を直感的に把握することができる。
【００４９】
また、本実施の形態では、音声認識処理の状態が「音声入力待ち」の場合、ＬＥＤ１２を第二発光色で点灯させ、音声認識処理の状態が「認識失敗」の場合、ＬＥＤ１２を第三発光色かつ対応する点灯パターンで点灯させ、音声認識処理の状態が「音声入力待ち」および「認識失敗」以外の場合、すなわち、「音声操作受付開始」、「音声入力」、「音声認識中」および「認識成功」のいずれかである場合、ＬＥＤ１２を第一発光色かつ対応する点灯パターンで点灯させている。したがって、本実施の形態によれば、ＬＥＤ１２の発光色から音声認識処理の状態を把握することもできる。
【００５０】
また、本実施の形態では、マイク１１への入力音声に対する音声認識処理の認識結果が音声操作受付開始の要求を示している場合、以降のマイク１１への入力音声に対する音声認識処理に用いる音声認識辞書データを、この認識結果が表す文章を構成する言語（認識言語）の音声認識辞書データに絞り込んでいる。したがって、本実施の形態によれば、音声認識処理に係る時間を短縮して、効率的な音声認識処理を実施することができる。
【００５１】
なお、本発明は上記の実施の形態に限定されるものではなく、その要旨の範囲内で数々の変形が可能である。
【００５２】
例えば、上記の実施の形態において、点灯パターンに従ってＬＥＤ１２をＰＷＭ制御する場合に、ＬＥＤ１２の発光色を明るさの強弱に合わせて変化させてもよい。このようにすることで、この点灯パターンに対応する音声メッセージのイントネーションおよびアクセントをより容易に理解することができるので、音声認識処理の状態をさらに直感的に把握することができる。
【００５３】
また、上記の実施の形態では、入力音声の音声認識処理に成功した場合（図５のＳ１３でＹＥＳ）、認識言語および音声認識処理の状態「認識成功」に対応する点灯パターンでＬＥＤ１２をＰＷＭ制御している（図５のＳ１４）。この点灯パターンは、認識言語で音声認識処理の状態「認識成功」を表す音声メッセージのイントネーションおよびアクセントに明るさの強弱を同期させたものであるが、この音声メッセージに音声認識した命令を含めることにより、音声認識した命令の実行をユーザに通知するものとしてもよい。
【００５４】
例えば、音声認識した命令が楽曲名である場合、この楽曲名のオーディオデータのダウンロードを表す音声データ（例えば「ダウンロードします」）のイントネーションおよびアクセントに明るさの強弱を同期させた点灯パターンを用いてＬＥＤ１２をＰＷＭ制御する。また、音声認識した命令が再生開始である場合、再生開始を表す音声データ（例えば「再生します」）のイントネーションおよびアクセントに明るさの強弱を同期させた点灯パターンを用いてＬＥＤ１２をＰＷＭ制御する。また、音声認識した命令が再生停止である場合、再生停止を表す音声データ（例えば「停止します」）のイントネーションおよびアクセントに明るさの強弱を同期させた点灯パターンを用いてＬＥＤ１２をＰＷＭ制御する。また、音声認識した命令が再生音量の増大である場合、音量増大を表す音声データ（例えば「音量アップします」）のイントネーションおよびアクセントに明るさの強弱を同期させた点灯パターンを用いてＬＥＤ１２をＰＷＭ制御する。また、音声認識した命令が再生音量の減少である場合、音量減少を表す音声データ（例えば「音量ダウンします」）のイントネーションおよびアクセントに明るさの強弱を同期させた点灯パターンを用いてＬＥＤ１２をＰＷＭ制御する。
【００５５】
また、上記の実施の形態では、ワイヤレススピーカ１が音声認識処理を実施する場合を例にとり説明した。しかし、本発明はこれに限定されない。
【００５６】
例えば、ネットワーク３に接続された外部サーバ（音声認識サーバ）を用いて、音声認識処理を実施するようにしてもよい。すなわち、主制御部１９は、マイク１１に音声が入力されると、ネットワークインターフェース部１３を介して外部サーバに入力音声の音声データを送信して音声認識処理を依頼する。そして、外部サーバから音声認識処理の処理結果を取得する。この場合、ワイヤレススピーカ１から音声認識辞書データ記憶部１５および音声認識処理部１６を省略することができる。
【００５７】
あるいは、ワイヤレススピーカ１とは別個に設けられた音声入力端末を用いて、音声認識処理を実施するようにしてもよい。すなわち、音声入力端末は、入力音声に音声認識処理を実施して、ユーザから音声操作を受け付ける。そして、受け付けた音声操作に応じた制御命令をワイヤレススピーカ１に送信する。これにより、ワイヤレススピーカ１に、音声入力端末がユーザから受け付けた音声操作に応じた動作を実施させる。
【００５８】
また、上記の実施の形態では、マイク１１への入力音声に対する音声認識処理の認識結果が音声操作受付開始の要求を示している場合、以降のマイク１１への入力音声に対する音声認識処理に用いる音声認識辞書データを、この認識結果が表す文章を構成する言語（認識言語）の音声認識辞書データに絞り込んでいる。しかし、本発明はこれに限定されない。音声操作受付開始の要求以降のマイク１１への入力音声に対する音声認識処理においても、音声認識辞書データの絞り込みを行わないで、利用可能なすべての言語の音声認識辞書データを用いて音声認識処理を実施してもよい。
【００５９】
また、上記の実施の形態において、図２に示すワイヤレススピーカ１の機能構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）等の集積ロジックＩＣによりハード的に実現されるものでもよいし、あるいはＤＳＰ（Ｄｉｇｉｔａｌ  Ｓｉｇｎａｌ  Ｐｒｏｃｅｓｓｏｒ）等の計算機によりソフトウエア的に実現されるものでもよい。または、ＣＰＵ（Ｃｅｎｔｒａｌ  Ｐｒｏｃｅｓｓｉｎｇ  Ｕｎｉｔ）と、メモリと、フラッシュメモリ、ハードディスクドライブ等の補助記憶装置と、無線ＬＡＮアダプタ等の通信装置と、スピーカと、マイクと、を備えたパーソナルコンピュータ等の汎用コンピュータにおいて、ＣＰＵが所定のプログラムを補助記憶装置からメモリ上にロードして実行することにより実現されるものでもよい。
【００６０】
また、上記の実施の形態では、オーディオ装置として、メディアサーバ４からオーディオデータをダウンロードして再生し、スピーカ１０から音声出力するワイヤレススピーカ１を例にとり説明したが、本発明はこれに限定されない。本発明は、音声操作受付機能を有するオーディオ装置に広く適用可能である。
【符号の説明】
【００６１】
１：ワイヤレススピーカ、  ２：アクセスポイント、  ３：ネットワーク、  ４：メディアサーバ、  １０：スピーカ、  １１：マイク、  １２：ＬＥＤ、  １３：ネットワークインターフェース部、  １４：オーディオ再生部、  １５：音声認識辞書データ記憶部、  １６：音声認識処理部、  １７：点灯パターン記憶部、  １８：ＬＥＤ制御部、  １９：主制御部
【図１】
2019036103.tif 000003
【図２】
2019036103.tif 000004
【図３】
2019036103.tif 000005
【図４】
2019036103.tif 000006
【図５】
2019036103.tif 000007